【手続補正書】
【提出日】平成25年9月30日(2013.9.30)
【手続補正１】
【補正対象書類名】明細書
【補正対象項目名】発明の名称
【補正方法】変更
【補正の内容】
【発明の名称】情報配信システム、端末及びプログラム
【手続補正２】
【補正対象書類名】明細書
【補正対象項目名】０００１
【補正方法】変更
【補正の内容】
【０００１】
本発明は、情報配信システム、端末及びプログラムに関する。
【手続補正３】
【補正対象書類名】明細書
【補正対象項目名】０００５
【補正方法】変更
【補正の内容】
【０００５】
本発明の課題は、端末でのユーザの配信作業を必要とせずに、全ての端末へ共通に配信される共通情報と、複数の端末のそれぞれに対して個別に配信される個別情報との何れかに端末の表示内容を切り替えることである。
【手続補正４】
【補正対象書類名】明細書
【補正対象項目名】０００６
【補正方法】変更
【補正の内容】
【０００６】
上記課題を解決するため、請求項１記載の発明は、サーバから複数の端末へ情報を配信する情報配信システムであって、前記サーバは、全ての端末へ配信する共通情報を記憶する第１記憶手段と、複数の端末のそれぞれに対して個別に配信する個別情報を記憶する第２記憶手段と、前記共通情報及び前記個別情報を前記端末へ配信する配信手段を備え、前記端末は、前記サーバから配信された前記共通情報及び前記個別情報を受信する受信手段と、前記受信手段により受信された前記共通情報及び前記個別情報を記憶する第３記憶手段と、前記受信手段により受信された前記共通情報又は前記個別情報を表示する表示手段と、前記表示手段の表示内容を計時手段から取得した現在時刻に基づいて前記共通情報又は前記個別情報の何れかに切り替える制御手段と、を備えることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明によれば、端末でのユーザの配信作業を必要とせずに、全ての端末へ共通に配信される共通情報と、複数の端末のそれぞれに対して個別に配信される個別情報との何れかに端末の表示内容を切り替えることができる。
【手続補正１１】
【補正対象書類名】特許請求の範囲
【補正対象項目名】全文
【補正方法】変更
【補正の内容】
【特許請求の範囲】
【請求項１】
サーバから複数の端末へ情報を配信する情報配信システムであって、
前記サーバは、
全ての端末へ配信する共通情報を記憶する第１記憶手段と、
複数の端末のそれぞれに対して個別に配信する個別情報を記憶する第２記憶手段と、
前記共通情報及び前記個別情報を前記端末へ配信する配信手段を備え、
前記端末は、
前記サーバから配信された前記共通情報及び前記個別情報を受信する受信手段と、
前記受信手段により受信された前記共通情報及び前記個別情報を記憶する第３記憶手段と、
前記受信手段により受信された前記共通情報又は前記個別情報を表示する表示手段と、
前記表示手段の表示内容を計時手段から取得した現在時刻に基づいて前記共通情報又は前記個別情報の何れかに切り替える制御手段と、
を備えることを特徴とする情報配信システム。
【請求項２】
前記端末は、所定の時間帯と、当該所定の時間帯に表示する前記共通情報又は前記個別情報とを対応付ける時間割情報を記憶する第４記憶手段をさらに備え、
前記制御手段は、前記時間割情報に基づいて前記表示手段の表示内容を前記共通情報又は前記個別情報の何れかに切り替えることを特徴とする請求項１に記載の情報配信システム。
【請求項３】
前記端末は、予め設けられた表示情報を記憶する第５記憶手段と、前記共通情報及び前記個別情報の配信を検知する配信検知手段と、をさらに備え、
前記制御手段は、前記配信検知手段により前記共通情報又は前記個別情報の配信が検知されるまでは前記表示情報を前記表示手段に表示させ、前記配信検知手段により前記共通情報又は前記個別情報の配信が検知された場合に、前記受信手段により受信した前記共通情報、前記個別情報のうち最近に受信した情報を前記表示手段に表示させることを特徴とする請求項１に記載の情報配信システム。
【請求項４】
前記サーバは、
所定の時間帯と、当該所定の時間帯に前記配信手段により配信する前記共通情報又は前記個別情報と、を対応付ける時間割情報を記憶する第６記憶手段と、
前記第６記憶手段に記憶された前記時間割情報に基づいて前記配信手段により配信する情報を決定する配信情報決定手段と、
をさらに備えることを特徴とする請求項３に記載の情報配信システム。
【請求項５】
前記端末は、当該端末に設けられて入力を受け付ける入力手段をさらに備え、
前記制御手段は、前記入力手段からの入力内容に基づいて前記表示手段の表示内容を前記共通情報又は前記個別情報の何れかに切り替えることを特徴とする請求項１から４のいずれか一項に記載の情報配信システム。
【請求項６】
前記情報配信システムは、前記端末と通信可能に設けられて前記端末に対して入力を行う外部機器をさらに有し、
前記端末は、前記外部機器からの入力を受け付ける入力受付手段をさらに備え、
前記制御手段は、前記入力受付手段が前記外部機器からの入力内容に基づいて前記表示手段の表示内容を前記共通情報又は前記個別情報の何れかに切り替えることを特徴とする請求項１から５のいずれか一項に記載の情報配信システム。
【請求項７】
全ての端末へ共通情報を配信すると共に、複数の端末のそれぞれに対して個別情報を個別に配信するサーバに接続される端末であって、
前記サーバから配信された前記共通情報及び前記個別情報を受信する受信手段と、
前記受信手段により受信された前記共通情報及び前記個別情報を記憶する記憶手段と、
前記受信手段により受信された前記共通情報又は前記個別情報を表示する表示手段と、
前記表示手段の表示内容を計時手段から取得した現在時刻に基づいて前記共通情報又は前記個別情報の何れかに切り替える制御手段と、
を備えることを特徴とする端末。
【請求項８】
所定の時間帯と、当該所定の時間帯に表示する前記共通情報又は前記個別情報とを対応付ける時間割情報を記憶する時間割情報記憶手段をさらに備え、
前記制御手段は、前記時間割情報に基づいて前記表示手段の表示内容を前記共通情報又は前記個別情報の何れかに切り替えることを特徴とする請求項７に記載の端末。
【請求項９】
予め設けられた表示情報を記憶する表示情報記憶手段と、前記共通情報及び前記個別情報の配信を検知する配信検知手段と、をさらに備え、
前記制御手段は、前記配信検知手段により前記共通情報又は前記個別情報の配信が検知されるまでは前記表示情報を前記表示手段に表示させ、前記配信検知手段により前記共通情報又は前記個別情報の配信が検知された場合に、前記受信手段により受信した前記共通情報、前記個別情報のうち最近に受信した情報を前記表示手段に表示させることを特徴とする請求項７に記載の端末。
【請求項１０】
入力を受け付ける入力手段をさらに備え、
前記制御手段は、前記入力手段からの入力内容に基づいて前記表示手段の表示内容を前記共通情報又は前記個別情報の何れかに切り替えることを特徴とする請求項７から９のいずれか一項に記載の端末。
【請求項１１】
外部機器からの入力を受け付ける入力受付手段をさらに備え、
前記制御手段は、前記入力受付手段が前記外部機器からの入力内容に基づいて前記表示手段の表示内容を前記共通情報又は前記個別情報の何れかに切り替えることを特徴とする請求項７から１０のいずれか一項に記載の端末。
【請求項１２】
全ての端末へ共通情報を配信すると共に、複数の端末のそれぞれに対して個別情報を個別に配信するサーバに接続され、通信手段と記憶手段と計時手段とを備える端末のコンピュータを制御するためのプログラムであって、
前記コンピュータを、
前記サーバから配信された前記共通情報及び前記個別情報を前記通信手段により受信する受信手段、
前記受信手段により受信された前記共通情報及び前記個別情報を前記記憶手段に記憶する記憶制御手段、
前記受信手段により受信された前記共通情報又は前記個別情報を表示する表示手段、
前記表示手段の表示内容を前記計時手段から取得した現在時刻に基づいて前記共通情報又は前記個別情報の何れかに切り替える制御手段、
として機能させるようにしたコンピュータ読み取り可能なプログラム。